(57)【要約】【課題】発熱面積が異なるものを含む複数枚の発熱ガラスを１つの電源で同時に駆動して単位面積あたりの発熱量が相互に等しくなるようにする。【解決手段】窓ガラスを構成する発熱ガラス２４，２６，２８は縦寸法が等しく横寸法が発熱ガラス２６と発熱ガラス２４，２８とで異なっている。発熱ガラス２４，２６，２８の上下両端に電極２４ｂ・２４ｃ，２６ｂ・２６ｃ，２８ｂ・２８ｃを配置し、発熱ガラス２４，２６，２８を電源３４で並列駆動する。あるいは発熱ガラス２４，２６，２８の左右両端に電極２４ｄ・２４ｅ，２６ｄ・２６ｅ，２８ｄ・２８ｅを配置し、発熱ガラス２４，２６，２８を電源３４で直列駆動する。【選択図】図１
2009032594.tif 000002
【特許請求の範囲】
【請求項１】
板ガラスに透明導電膜を形成し該透明導電膜の両端に電極を配置し該両電極から該透明導電膜に通電することにより発熱する発熱ガラスを複数枚電気的に相互に接続して１つの電源で同時に駆動する方法であって、
前記複数枚の発熱ガラスの透明導電膜はシート抵抗が相互に等しくそれぞれ矩形に形成されかつ電流が流れる方向の寸法が相互に等しく構成され、かつ電流が流れる方向に直交する方向の寸法が相互に異なるものを含み、
１つの電源に対してこれら複数枚の発熱ガラスを並列接続して駆動する発熱ガラスの駆動方法。
【請求項２】
板ガラスに透明導電膜を形成し該透明導電膜の両端に電極を配置し該両電極から該透明導電膜に通電することにより発熱する発熱ガラスを複数枚電気的に相互に接続して１つの電源で同時に駆動する方法であって、
前記複数枚の発熱ガラスの透明導電膜はシート抵抗が相互に等しくそれぞれ矩形に形成されかつ電流が流れる方向に直交する方向の寸法が相互に等しく構成され、かつ電流が流れる方向の寸法が相互に異なるものを含み、
１つの電源に対してこれら複数枚の発熱ガラスを直列接続して駆動する発熱ガラスの駆動方法。
【請求項３】
板ガラスに透明導電膜を形成し該透明導電膜の両端に電極を配置し該両電極から該透明導電膜に通電することにより発熱する発熱ガラスを複数枚電気的に相互に接続して１つの電源で同時に駆動する方法であって、
前記複数枚の発熱ガラスの透明導電膜はシート抵抗が相互に等しくそれぞれ矩形に形成されかつ電流が流れる方向の寸法または電流が流れる方向に直交する方向の寸法が相互に異なるものを含み、
前記複数枚の発熱ガラスは前記１つの電源に対し並列接続されるものと直列接続されるものを含み、
同一電位間に並列接続される発熱ガラスどうしは電流が流れる方向の寸法が相互に等しいものであり、
１つの電位間に直列接続される発熱ガラスどうしは電流が流れる方向に直交する方向の寸法が相互に等しいものであり、
前記「同一電位間に並列接続される発熱ガラス」は該発熱ガラスのいずれかが該電位間に直列接続された複数枚の発熱ガラスである場合を含み、該直列接続された複数枚の発熱ガラスについての前記「電流が流れる方向の寸法」は該直列接続された複数枚の発熱ガラスの電流が流れる方向の寸法の和をいい、
前記「１つの電位間に直列接続される発熱ガラス」は該発熱ガラスのいずれかが同一電位間に並列接続された複数枚の発熱ガラスである場合を含み、該並列接続された複数枚の発熱ガラスについての前記「電流が流れる方向に直交する方向の寸法」は該並列接続された複数枚の発熱ガラスの電流が流れる方向に直交する方向の寸法の和をいう発熱ガラスの駆動方法。
【請求項４】
板ガラスに透明導電膜を形成し該透明導電膜の両端に電極を配置し該両電極から該透明導電膜に通電することにより発熱する発熱ガラスを複数枚電気的に相互に接続して１つの電源で同時に駆動する方法であって、
前記複数枚の発熱ガラスの透明導電膜はシート抵抗が相互に等しくそれぞれ矩形に形成されかつ電流が流れる方向の寸法または電流が流れる方向に直交する方向の寸法が相互に異なるものを含み、
１つの電源に対してこれら複数枚の発熱ガラスを、電流が流れる方向に直交する方向の透明導電膜の寸法が等しい発熱ガラスどうしを直列接続し、該直列接続した発熱ガラスと他の発熱ガラスとを並列接続して駆動し、
前記他の発熱ガラスの、電流が流れる方向の透明導電膜の寸法は、前記直列接続した発熱ガラスの、電流が流れる方向の各透明導電膜の寸法の和に等しい発熱ガラスの駆動方法。
【請求項５】
板ガラスに透明導電膜を形成し該透明導電膜の両端に電極を配置し該両電極から該透明導電膜に通電することにより発熱する発熱ガラスを複数枚電気的に相互に接続して１つの電源で同時に駆動する方法であって、
前記複数枚の発熱ガラスの透明導電膜はシート抵抗が相互に等しくそれぞれ矩形に形成されかつ電流が流れる方向の寸法または電流が流れる方向に直交する方向の寸法が相互に異なるものを含み、
１つの電源に対してこれら複数枚の発熱ガラスを、電流が流れる方向の透明導電膜の寸法が等しい発熱ガラスどうしを並列接続し、該並列接続した発熱ガラスと他の発熱ガラスとを直列接続して駆動し、
前記他の発熱ガラスの、電流が流れる方向に直交する方向の透明導電膜の寸法は、前記並列接続した発熱ガラスの、電流が流れる方向に直交する方向の各透明導電膜の寸法の和に等しい発熱ガラスの駆動方法。
【請求項６】
請求項１から５のいずれか１つに記載の発熱ガラスの駆動方法を実行することを特徴とする発熱ガラスの駆動回路。
【発明の詳細な説明】
【技術分野】
【０００１】
この発明は発熱面積が異なるものを含む複数枚の発熱ガラスを同時に駆動する方法および回路に関し、該複数枚の発熱ガラスを１つの電源で同時に駆動して単位面積あたりの発熱量が相互に等しくなるようにしたものである。
【背景技術】
【０００２】
発熱ガラスは板ガラスに透明導電膜を形成し該透明導電膜の両端に電極を配置して構成され、該両電極から該透明導電膜に通電することによりジュール熱で発熱するものである。発熱ガラスは例えば結露防止や暖房等の目的で建築用窓ガラス（家庭用窓ガラス、ビル用窓ガラス等）に使用され、結露防止の目的で低温ショーケースの窓ガラスに使用されるなど各種用途が考えられている。
【０００３】
建築用窓ガラスは１つの部屋においても異なる寸法のものが混在して使用される場合が多い。このような場合に各窓ガラスを発熱ガラスで構成し全窓ガラスを１つの電源で並列駆動または直列駆動すると、単位面積あたりの発熱量が窓ガラスの寸法によって異なるものとなり、ガラス温度が全窓ガラスで等しくならない場合が生じる。そこで全窓ガラスでガラス温度を等しくするために、窓ガラスを寸法ごとにグループ分けしてグループごとに駆動電圧を制御し、もって全窓ガラスで単位面積あたりの発熱量を等しくすることが考えられる。しかしこのようにするとグループごとに異なる駆動電圧を供給するために電源装置および制御装置が複雑になる問題がある。
【０００４】
【特許文献１】特開２００５−１４５２１１号公報
【特許文献２】特開平８−１１９０６５号公報
【特許文献３】特開２００３−１６３０７１号公報
【特許文献４】特開２００２−２６４７８０号公報
【特許文献５】実公平１−２０２０９号公報
【特許文献６】特公平６−８０３８８号公報
【特許文献７】特開２００５−１７４９４３号公報
【特許文献８】特開２００５−２７８８１４号公報
【特許文献９】特開２００４−１８９１５５号公報
【特許文献１０】特開平１０−２４１８４３号公報
【特許文献１１】特開平７−４６８０号公報
【特許文献１２】特開平４−１７４９９３号公報
【特許文献１３】特開平４−２２０９８５号公報
【特許文献１４】特開昭５７−１２８４８１号公報
【特許文献１５】特開昭５６−１３８８８９号公報
【特許文献１６】特開２００２−３１３５４０号公報
【特許文献１７】特開２０００−３４０３４２号公報
【発明の開示】
【発明が解決しようとする課題】
【０００５】
この発明は上述の点に鑑みてなされたもので、発熱面積が異なるものを含む複数枚の発熱ガラスを１つの電源で同時に駆動して単位面積あたりの発熱量が相互に等しくなるようにした発熱ガラスの駆動方法および駆動回路を提供しようとするものである。
【０００６】
なお面状発熱体において発熱体を領域分割して駆動する技術あるいは発熱量の均一化を図った技術を開示した特許文献をサーチしたところ上記特許文献１〜１７が見つかったが、いずれもこの発明の上記課題を解決するものではなかった。
【課題を解決するための手段】
【０００７】
この発明の発熱ガラスの駆動方法は板ガラスに透明導電膜を形成し該透明導電膜の両端に電極を配置し該両電極から該透明導電膜に通電することにより発熱する発熱ガラスを複数枚電気的に相互に接続して１つの電源で同時に駆動する方法であって、前記複数枚の発熱ガラスの透明導電膜はシート抵抗が相互に等しくそれぞれ矩形に形成されかつ電流が流れる方向の寸法が相互に等しく構成され、かつ電流が流れる方向に直交する方向の寸法が相互に異なるものを含み、１つの電源に対してこれら複数枚の発熱ガラスを並列接続して駆動するものである。
【０００８】
この発明の発熱ガラスの駆動方法は板ガラスに透明導電膜を形成し該透明導電膜の両端に電極を配置し該両電極から該透明導電膜に通電することにより発熱する発熱ガラスを複数枚電気的に相互に接続して１つの電源で同時に駆動する方法であって、前記複数枚の発熱ガラスの透明導電膜はシート抵抗が相互に等しくそれぞれ矩形に形成されかつ電流が流れる方向に直交する方向の寸法が相互に等しく構成され、かつ電流が流れる方向の寸法が相互に異なるものを含み、１つの電源に対してこれら複数枚の発熱ガラスを直列接続して駆動するものである。
【０００９】
この発明の発熱ガラスの駆動方法は板ガラスに透明導電膜を形成し該透明導電膜の両端に電極を配置し該両電極から該透明導電膜に通電することにより発熱する発熱ガラスを複数枚電気的に相互に接続して１つの電源で同時に駆動する方法であって、前記複数枚の発熱ガラスの透明導電膜はシート抵抗が相互に等しくそれぞれ矩形に形成されかつ電流が流れる方向の寸法または電流が流れる方向に直交する方向の寸法が相互に異なるものを含み、前記複数枚の発熱ガラスは前記１つの電源に対し並列接続されるものと直列接続されるものを含み、同一電位間に並列接続される発熱ガラスどうしは電流が流れる方向の寸法が相互に等しいものであり、１つの電位間に直列接続される発熱ガラスどうしは電流が流れる方向に直交する方向の寸法が相互に等しいものであり、前記「同一電位間に並列接続される発熱ガラス」は該発熱ガラスのいずれかが該電位間に直列接続された複数枚の発熱ガラスである場合を含み、該直列接続された複数枚の発熱ガラスについての前記「電流が流れる方向の寸法」は該直列接続された複数枚の発熱ガラスの電流が流れる方向の寸法の和をいい、前記「１つの電位間に直列接続される発熱ガラス」は該発熱ガラスのいずれかが同一電位間に並列接続された複数枚の発熱ガラスである場合を含み、該並列接続された複数枚の発熱ガラスについての前記「電流が流れる方向に直交する方向の寸法」は該並列接続された複数枚の発熱ガラスの電流が流れる方向に直交する方向の寸法の和をいうものである。
【００１０】
この発明の発熱ガラスの駆動方法は板ガラスに透明導電膜を形成し該透明導電膜の両端に電極を配置し該両電極から該透明導電膜に通電することにより発熱する発熱ガラスを複数枚電気的に相互に接続して１つの電源で同時に駆動する方法であって、前記複数枚の発熱ガラスの透明導電膜はシート抵抗が相互に等しくそれぞれ矩形に形成されかつ電流が流れる方向の寸法または電流が流れる方向に直交する方向の寸法が相互に異なるものを含み、１つの電源に対してこれら複数枚の発熱ガラスを、電流が流れる方向に直交する方向の透明導電膜の寸法が等しい発熱ガラスどうしを直列接続し、該直列接続した発熱ガラスと他の発熱ガラスとを並列接続して駆動し、前記他の発熱ガラスの、電流が流れる方向の透明導電膜の寸法は、前記直列接続した発熱ガラスの、電流が流れる方向の各透明導電膜の寸法の和に等しいものである。
【００１１】
この発明の発熱ガラスの駆動方法は板ガラスに透明導電膜を形成し該透明導電膜の両端に電極を配置し該両電極から該透明導電膜に通電することにより発熱する発熱ガラスを複数枚電気的に相互に接続して１つの電源で同時に駆動する方法であって、前記複数枚の発熱ガラスの透明導電膜はシート抵抗が相互に等しくそれぞれ矩形に形成されかつ電流が流れる方向の寸法または電流が流れる方向に直交する方向の寸法が相互に異なるものを含み、１つの電源に対してこれら複数枚の発熱ガラスを、電流が流れる方向の透明導電膜の寸法が等しい発熱ガラスどうしを並列接続し、該並列接続した発熱ガラスと他の発熱ガラスとを直列接続して駆動し、前記他の発熱ガラスの、電流が流れる方向に直交する方向の透明導電膜の寸法は、前記並列接続した発熱ガラスの、電流が流れる方向に直交する方向の各透明導電膜の寸法の和に等しいものである。
【００１２】
この発明の発熱ガラスの駆動回路はこの発明の発熱ガラスの駆動方法を実行することを特徴とするものである。
【００１３】
この発明の発熱ガラスの駆動方法並びに駆動回路によれば、発熱面積が異なるものを含む複数枚の発熱ガラスを１つの電源で同時に駆動して単位面積あたりの発熱量を相互に等しくすることができる。したがって電源装置および制御装置を簡素化することができる。
【００１４】
この発明において発熱面積が異なるものを含む複数枚の発熱ガラスを１つの電源で同時に駆動して単位面積あたりの発熱量が等しくなる点について説明する。いま図２に示すように縦・横寸法がＬ×Ｗの矩形状の透明導電膜１を考える。透明導電膜１の上下両端部にその幅方向全長にわたり電極２，３が形成されている。電極２，３に電圧（直流電圧または交流電圧）を印加することにより透明導電膜１に電流が流れ、透明導電膜１はジュール熱により発熱する。このとき電極２，３が対向する方向（Ｌ方向）が電流が流れる方向であり、電極２，３の延在方向（Ｗ方向）が電流が流れる方向に直交する方向である。
【００１５】
電極２，３間の透明導電膜１の抵抗Ｒ（Ω）は、透明導電膜１のシート抵抗をＲs（Ω／□）とすると、
Ｒ＝Ｒs・Ｌ／Ｗ
となる。電極２，３間に電圧Ｖを印加したときに透明導電膜１に流れる電流をＩ、その発熱量（消費電力）をＰとすると、その時の透明導電膜１の単位面積あたりの発熱量Ｐ１は、
Ｐ１＝Ｐ／ＷＬ
＝｛Ｖ2／（Ｒs・Ｌ／Ｗ）｝×（１／ＷＬ）
＝（１／Ｒs）・（Ｖ／Ｌ）2                ・・・（１）
または、
Ｐ１＝Ｐ／ＷＬ
＝Ｉ2（Ｒs・Ｌ／Ｗ））×（１／ＷＬ）
＝Ｒs（Ｉ／Ｗ）2                          ・・・（２）
となる。
【００１６】
上記（１）式によれば、寸法が異なる複数の透明電極膜があった場合に、印加される電圧Ｖと電流が流れる方向の寸法Ｌの比が等しければ単位面積あたりの発熱量Ｐ１が相互に等しくなることがわかる。したがって複数の透明電極膜に印加する電圧Ｖが等しい場合（つまり並列駆動する場合）は電流が流れる方向の寸法Ｌが等しければ、電流が流れる方向に直交する方向の寸法Ｗが異なっていても単位面積あたりの発熱量Ｐ１は相互に等しくなる。
【００１７】
また上記（２）式によれば、寸法が異なる複数の透明電極膜があった場合に、電流Ｉと電流が流れる方向に直交する方向の寸法Ｗの比が等しければ単位面積あたりの発熱量Ｐ１が相互に等しくなることがわかる。したがって複数の透明電極膜に流れる電流Ｉが等しい場合（つまり直列駆動する場合）は電流が流れる方向に直交する方向の寸法Ｗが等しければ、電流が流れる方向の寸法Ｌが異なっていても単位面積あたりの発熱量Ｐ１は相互に等しくなる。この発明は以上の性質を利用したものである。
【発明を実施するための最良の形態】
【００１８】
この発明を建築用窓ガラスに適用した実施の形態を以下説明する。
《実施の形態１》
図３はこの発明が適用される建築用窓ガラスの配置例を示す。室１０において、壁１２，１４、天井１６、床１８で囲まれた前方の面は開口部２０を構成する。開口部２０全体にはサッシ２２が嵌め込まれている。サッシ２２にはいずれも矩形の窓ガラス２４，２６，２８が左右方向に並べて嵌め込まれている。窓ガラス２４，２６，２８はいずれもはめ殺し窓を構成するもの、窓ガラス２６がはめ殺し窓を構成し窓ガラス２４，２８が開閉式窓を構成するもの、窓ガラス２４，２６がはめ殺し窓を構成し窓ガラス２８が開閉式窓を構成するもの等様々な形態が考えられる。窓ガラス２４，２６，２８はいずれも発熱ガラスで構成されている。発熱ガラスは一般に２枚の透明板ガラスを所定の空隙を挟んで対向配置した複層ガラスとして構成され、室内側の透明板ガラスの内面（空隙に臨む面）の全面に透明導電膜を形成し、該透明導電膜の両端に電極を配置して構成され、該両電極から該透明導電膜に通電することにより発熱する。窓ガラス２４，２６，２８の透明導電膜２４ａ，２６ａ，２８ａはシート抵抗（単位面積あたりの抵抗であり、表面抵抗ともいう。単位：Ω／□）が相互に等しい。また各透明導電膜２４ａ，２６ａ，２８ａの寸法（≒窓ガラス２４，２６，２８の寸法）は次のように設定されている。
〈縦寸法〉
・Ｌ24a＝Ｌ26a＝Ｌ28a
〈横寸法〉
・Ｗ24a＝Ｗ28a
・Ｗ26a＞Ｗ24a，Ｗ28a
【００１９】
窓ガラス２４，２６，２８の駆動回路（すなわち透明導電膜２４ａ，２６ａ，２８ａの駆動回路）の一例を図１に示す。これは透明導電膜２４ａ，２６ａ，２８ａを並列駆動するものである。透明導電膜２４ａの上下両端部にはその幅方向全長にわたり電極２４ｂ，２４ｃが直線状にかつ相互に平行に対向配置されている。透明導電膜２６ａの上下両端部にはその幅方向全長にわたり電極２６ｂ，２６ｃが直線状にかつ相互に平行に対向配置されている。透明導電膜２８ａの上下両端部にはその幅方向全長にわたり電極２８ｂ，２８ｃが直線状にかつ相互に平行に対向配置されている。電極２４ｂ，２６ｂ，２８ｂは給電ケーブル３０に共通に接続されている。電極２４ｃ，２６ｃ，２８ｃは給電ケーブル３２に共通に接続されている。給電ケーブル３０，３２間には電源装置３４により所定電圧の交流電圧が印加される。透明導電膜２４ａ，２６ａ，２８ａはこの交流電圧により並列駆動される。
【００２０】
表１は透明導電膜２４ａ，２６ａ，２８ａの縦・横寸法および面積、シート抵抗、各電極間の抵抗、駆動電圧の各設定例およびこの設定による発熱量および単位面積あたりの発熱量を示す。これによれば透明導電膜２４ａ，２６ａ，２８ａの単位面積あたりの発熱量は等しいものとなる。したがって窓ガラス２４，２６，２８は等しい温度に加温される。
【表１】
2009032594.tif 000003
【００２１】
《実施の形態２》
図３の配置の窓ガラス２４，２６，２８の駆動回路の他の例を図４に示す。これは透明導電膜２４ａ，２６ａ，２８ａを直列駆動するものである。図１と共通する部分には同一の符号を用いる。透明導電膜２４ａの左右両端部にはその高さ方向全長にわたり電極２４ｄ，２４ｅが直線状にかつ相互に平行に対向配置されている。透明導電膜２６ａの左右両端部にはその高さ方向全長にわたり電極２６ｄ，２６ｅが直線状にかつ相互に平行に対向配置されている。透明導電膜２８ａの左右両端部にはその高さ方向全長にわたり電極２８ｄ，２８ｅが直線状にかつ相互に平行に対向配置されている。電極２４ｄには給電ケーブル３６が接続され、電極２４ｅ・２６ｄ間には給電ケーブル３８が接続され、電極２６ｅ・２８ｄ間には給電ケーブル４０が接続され、電極２８ｅには給電ケーブル４２が接続されている。給電ケーブル３６，４２間には電源装置３４により所定電圧の交流電圧が印加される。透明導電膜２４ａ，２６ａ，２８ａはこの交流電圧により直列駆動される。
【００２２】
表２は透明導電膜２４ａ，２６ａ，２８ａの縦・横寸法および面積、シート抵抗、各電極間の抵抗、駆動電圧の各設定例およびこの設定による発熱量および単位面積あたりの発熱量を示す。これによれば透明導電膜２４ａ，２６ａ，２８ａの単位面積あたりの発熱量は等しいものとなる。したがって窓ガラス２４，２６，２８は等しい温度に加温される。
【表２】
2009032594.tif 000004
【００２３】
なお図３では透明導電膜２４ａ，２８ａの横寸法をＷ24a＝Ｗ28aとしたが、Ｗ24a≠Ｗ28aの場合も、図１、図４のいずれの回路でも透明導電膜２４ａ，２６ａ，２８ａの単位面積あたりの発熱量は等しいものとなり、窓ガラス２４，２６，２８は等しい温度に加温される。
【００２４】
《実施の形態３》
図５はこの発明が適用される建築用窓ガラスの他の配置例を示す。室４４において、壁４６，４８、天井５０、床５２で囲まれた前方の面は開口部５４を構成する。開口部５４全体にはサッシ５６が嵌め込まれている。サッシ５６にはいずれも矩形の窓ガラス５８，６０，６２が嵌め込まれている。窓ガラス６０，６２は上下に並べて配置されている。窓ガラス５８と窓ガラス６０，６２とは左右に並べて配置されている。窓ガラス５８，６０，６２はいずれもはめ殺し窓を構成するもの、窓ガラス５８がはめ殺し窓を構成し窓ガラス６０，６２が開閉式窓を構成するもの、窓ガラス５８，６２がはめ殺し窓を構成し窓ガラス６０が開閉式窓を構成するもの等様々な形態が考えられる。窓ガラス５８，６０，６２はいずれも発熱ガラスで構成されている。窓ガラス５８，６０，６２の透明導電膜５８ａ，６０ａ，６２ａはシート抵抗が相互に等しい。また各透明導電膜５８ａ，６０ａ，６２ａの寸法（≒窓ガラス５８，６０，６２の寸法）は次のように設定されている。
〈縦寸法〉
・Ｌ60a＝Ｌ62a
・Ｌ58a＝Ｌ60a＋Ｌ62a
〈横寸法〉
・Ｗ60a＝Ｗ62a
・Ｗ58a＞Ｗ60a，Ｗ62a
【００２５】
窓ガラス５８，６０，６２の駆動回路（すなわち透明導電膜５８ａ，６０ａ，６２ａの駆動回路）の一例を図６に示す。これは透明導電膜６０ａ，６２ａを直列駆動し、かつこの透明導電膜６０ａ，６２ａの直列接続回路と透明導電膜５８ａとを並列駆動するものである。透明導電膜５８ａの上下両端部にはその幅方向全長にわたり電極５８ｂ，５８ｃが直線状にかつ相互に平行に対向配置されている。透明導電膜６０ａの上下両端部にはその幅方向全長にわたり電極６０ｂ，６０ｃが直線状にかつ相互に平行に対向配置されている。透明導電膜６２ａの上下両端部にはその幅方向全長にわたり電極６２ｂ，６２ｃが直線状にかつ相互に平行に対向配置されている。電極５８ｂ，６０ｂは給電ケーブル６４に共通に接続されている。電極５８ｃ，６２ｃは給電ケーブル６６に共通に接続されている。電極６０ｃ・６２ｂ間には給電ケーブル６８が接続されている。給電ケーブル６４，６６間には電源装置７０により所定電圧の交流電圧が印加される。透明導電膜６０ａ，６２ａはこの交流電圧により直列駆動される。また透明導電膜６０ａ，６２ａの直列接続回路と透明導電膜５８ａとはこの交流電圧により並列駆動される。
【００２６】
表３は透明導電膜５８ａ，６０ａ，６２ａの縦・横寸法および面積、シート抵抗、各電極間の抵抗、駆動電圧の各設定例およびこの設定による発熱量および単位面積あたりの発熱量を示す。これによれば透明導電膜５８ａ，６０ａ，６２ａの単位面積あたりの発熱量は等しいものとなる。したがって窓ガラス５８，６０，６２は等しい温度に加温される。
【表３】
2009032594.tif 000005
【００２７】
《実施の形態４》
図５の配置の窓ガラス５８，６０，６２の駆動回路の他の例を図７に示す。これは透明導電膜６０ａ，６２ａを並列駆動し、かつこの透明導電膜６０ａ，６２ａの並列接続回路と透明導電膜５８ａを直列駆動するものである。図６と共通する部分には同一の符号を用いる。透明導電膜５８ａの左右両端部にはその高さ方向全長にわたり電極５８ｄ，５８ｅが直線状にかつ相互に平行に対向配置されている。透明導電膜６０ａの左右両端部にはその高さ方向全長にわたり電極６０ｄ，６０ｅが直線状にかつ相互に平行に対向配置されている。透明導電膜６２ａの左右両端部にはその高さ方向全長にわたり電極６２ｄ，６２ｅが直線状にかつ相互に平行に対向配置されている。電極５８ｄには給電ケーブル７２が接続され、電極５８ｅ・６０ｄ間には給電ケーブル７４が接続され、電極５８ｅ・６２ｄ間には給電ケーブル７６が接続され、電極６０ｅ，６２ｅには給電ケーブル７８が接続されている。給電ケーブル７２，７８間には電源装置７０により所定電圧の交流電圧が印加される。透明導電膜６０ａ，６２ａの並列接続回路と透明導電膜５８ａはこの交流電圧により直列駆動される。
【００２８】
表４は透明導電膜５８ａ，６０ａ，６２ａの縦・横寸法および面積、シート抵抗、各電極間の抵抗、駆動電圧の各設定例およびこの設定による発熱量および単位面積あたりの発熱量を示す。これによれば透明導電膜５８ａ，６０ａ，６２ａの単位面積あたりの発熱量は等しいものとなる。したがって窓ガラス５８，６０，６２は等しい温度に加温される。
【表４】
2009032594.tif 000006
【００２９】
なお図５では透明導電膜６０ａ，６２ａの縦寸法をＬ60a＝Ｌ62aとしたが、Ｌ60a≠Ｌ62a（ただしＬ58a＝Ｌ60a＋Ｌ62a）の場合も、図６、図７のいずれの回路でも透明導電膜５８ａ，６０ａ，６２ａの単位面積あたりの発熱量は等しいものとなり、窓ガラス５８，６０，６２は等しい温度に加温される。
【００３０】
なお前記各実施の形態ではこの発明を建築用窓ガラスの駆動に適用した場合について説明したが、この発明は低温ショーケースの窓ガラスの駆動その他各種用途の発熱ガラスの駆動に適用することができる。
【図面の簡単な説明】
【００３１】
【図１】図３の透明導電膜２４ａ，２６ａ，２８ａの駆動回路の一例を示す回路図である。
【図２】発熱ガラスにおける透明導電膜と電極の配置例を示す図である。
【図３】この発明が適用される建築用窓ガラスの配置例を示す透視図である。
【図４】図３の透明導電膜２４ａ，２６ａ，２８ａの駆動回路の他の例を示す回路図である。
【図５】この発明が適用される建築用窓ガラスの他の配置例を示す透視図である。
【図６】図５の透明導電膜５８ａ，６０ａ，６２ａの駆動回路の一例を示す回路図である。
【図７】図５の透明導電膜５８ａ，６０ａ，６２ａの駆動回路の他の例を示す回路図である。
【符号の説明】
【００３２】
２４，２６，２８，５８，６０，６２…窓ガラス（発熱ガラス）、２４ａ，２６ａ，２８ａ，５８ａ，６０ａ，６２ａ…透明導電膜、２４ｂ，２４ｃ，２４ｄ，２４ｅ，２６ｂ，２６ｃ，２６ｄ，２６ｅ，２８ｂ，２８ｃ，２８ｄ，２８ｅ，５８ｂ，５８ｃ，５８ｄ，５８ｅ，６０ｂ，６０ｃ，６０ｄ，６０ｅ，６２ｂ，６２ｃ，６２ｄ，６２ｅ…電極、３４，７０…電源
【図１】
2009032594.tif 000007
【図２】
2009032594.tif 000008
【図３】
2009032594.tif 000009
【図４】
2009032594.tif 000010
【図５】
2009032594.tif 000011
【図６】
2009032594.tif 000012
【図７】
2009032594.tif 000013